(57)【要約】      （修正有）【課題】  型枠仮組立後でも設置位置の変更ができコンクリート打設後でも取外し再使用可能とすることで、型枠の設置効率が向上するだけでなく省資源化されて経済的効果を得ることができるコンクリート型枠用間隔保持具を提供する。【解決手段】  間隔保持具５は、薄板鋼鈑で幅方向略中央の長手方向にスリット１０を形成し、内枠２および／または外枠４の底部を個別に保持する保持具本体６と、型枠１の外側を規制すべく保持具本体６の一端に立設し下端中央に上記スリット１０に連通する開口１４ａを形成した外側規制片１４と、保持具本体６の底面に接合された底板８と、外側枠１５ａと上記外側規制片１４下端の開口１４ａを通して上記凹溝内に回動可能にほぼ面一に挿嵌支持される底枠１５ｂとから成る回動枠１５と、スリット１０の端部に連通するよう直交する横スリット１２とから構成されている。【選択図】図２
0003119712.tif 000002
【実用新案登録請求の範囲】
【請求項１】
ベースコンクリートＢＣ上にコンクリート基礎を打設する際に使用すべく所定間隔で対向配置される内枠２と外枠４から成る型枠を立設状態に保持するコンクリート型枠用間隔保持具５に於いて、
上記間隔保持具５は、薄板鋼鈑で短冊状に構成された幅方向略中央の長手方向に凹溝を形成し上記型枠１の内枠２および／または外枠４の底部を個別に保持する保持具本体６と、上記型枠１の外側を規制すべく上記保持具本体６の少なくとも一端に立設し下端中央に上記凹溝に連通する開口１４ａを形成した外側規制片１４と、鋼製の棒体をコ字型に折曲形成して上記外側規制片１４の外側面に沿って立設する外側枠１５ａと上記外側規制片１４下端の開口１４ａを通して上記凹溝内に回動可能にほぼ面一に挿嵌支持される底枠１５ｂと上記型枠１の内側を規制すべく立設した内側枠１５ｃとで構成される回動枠１５とから成り、
上記回動枠１５は、手動操作により上記凹溝内で上記底枠１５ｂを中心として回動した際、垂直状態と水平状態をとるように構成され、上記型枠１の底部と上記ベースコンクリートＢＣ上面の間で形成される隙間を挿通して上記保持具本体６を長手方向に抜き差しする際は上記回動枠１５を水平状態とし、上記型枠１の両側面を規制する際は上記回動枠１５を垂直状態に保持することを特徴とするコンクリート型枠用間隔保持具。
【請求項２】
上記回動枠１５は、垂直状態を保持する垂直保持手段Ｗを備えていることを特徴とする請求項1に記載のコンクリート型枠用間隔保持具。
【請求項３】
上記間隔保持具５は、上記型枠１の底部を支持する上記保持具本体６の支持部位に上記回動枠１５の底枠１５ｂが挿通可能な間隔のスリット１０が長手方向に形成されると共に、上記外側規制片１４の外側面に近接して上記回動枠１５の外側枠１５ａを収容保持する横スリット１２が上記スリット１０の端部に連通するよう直交して形成され、上記保持具本体６の底面には薄板鋼鈑から成る底板８が接合されていることを特徴とする請求項１または２に記載のコンクリート型枠用間隔保持具。
【請求項４】
上記保持具本体６は、上記回動枠１５の底枠１５ｂが面一に収容される凹溝２０が長手方向に沿って折曲形成され、且つ上記外側規制片１４の外側面に近接して上記回動枠１５の外側枠１５ａが収容保持される横スリット１２が上記凹溝２０の片側に連通するよう直交して形成されていることを特徴とする請求項１または２に記載のコンクリート型枠用間隔保持具。
【考案の詳細な説明】
【技術分野】
【０００１】
本考案は、コンクリート型枠用間隔保持具の改良に関する。
【背景技術】
【０００２】
従来より、コンクリート基礎を施工する際にコンクリート基礎の打設時に内外の型枠を立設保持するコンクリート型枠用間隔保持具として、短冊状の鋼鈑よりなる本体に外側規正板と内側規正板とを折り曲げて一対の嵌合部を形成し、各嵌合部に型枠を嵌合して所定の対向間隔で保持するものが知られている（例えば、特許文献１参照）。
【０００３】
図９は、従来のコンクリート型枠用間隔保持具であって、（ａ）は間隔保持具に嵌合した型枠間にコンクリートを打設した状態を示す断面図、（ｂ）はコンクリート型枠用間隔保持具の部分斜視図である。
【０００４】
図９（ａ）、（ｂ）において、３０１は、コンクリート型枠用間隔保持具（以下間隔保持具と称する）であって、この間隔保持具３０１は、薄肉状の短冊状鋼鈑で形成された保持具本体３０３の両側には、外側規制片３０４が上方へ折曲げて形成され、各外側規制片３０４の内側には内側規制片３０５が上方へ切り起こして形成されている。
【０００５】
そして、保持具本体３０３両側に一体に形成された上記の外側規制片３０４と内側規制片３０５は、コンクリート基礎の内外型枠３０６，３０８を立設保持する一対の型枠嵌合部３０２ａ，３０２ｂを備えている。
【０００６】
この間隔保持具３０１がベースコンクリートＢＣ上にコンクリート基礎の長手方向に沿って所定間隔毎に設置されると、各嵌合部３０２ａ，３０２ｂに型枠３０６，３０８を上方から嵌合して所定の対向間隔で保持できるように構成されている。
【０００７】
そこで、間隔保持具３０１によって型枠３０６，３０８が所定の対向間隔で保持されると、これら型枠３０６，３０８間のベースコンクリートＢＣ上にコンクリートＣが打設されるようになっている。
【０００８】
【特許文献１】特開平５−１９５６２３号公報
【考案の開示】
【考案が解決しようとする課題】
【０００９】
ところで、上記のような間隔保持具３０１は、コンクリート基礎の長手方向に沿って所定間隔毎に設置された各嵌合部３０２ａ，３０２ｂに、内外の型枠３０６，３０８を上方から嵌合して所定の対向間隔で保持して仮組みされる際に、型枠３０６，３０８の強度を保持するために上記内外型枠３０６，３０８の長手方向接続部が一致しないように長手方向に交互に配置した状態で列設施行される。
【００１０】
しかしながら、上記接続部がたまたま一致すると、内外型枠３０６，３０８の長手方向の直線性が維持できず平面視く字状に折曲してしまうため、間隔保持具３０１の配置を変更する作業が余儀なくされるが、この間隔保持具３０１は左右の嵌合部３０２ａ，３０２ｂが保持具本体３０３によって連結されているため、上記内外型枠３０６，３０８を分解
組立する作業が必要となる問題を有している。
【００１１】
また、設置された型枠３０６，３０８間にコンクリートＣが打設されて固化された後は全ての型枠３０６，３０８が取外されるが、間隔保持具３０１は、固化によりコンクリートＣと共に一体化して取外すことができないため、外側規制片３０４と内側規制片３０５がベースコンクリートＢＣや基礎コンクリートＣから突出しコンクリート仕上げ面の外観が悪くなる問題を有している。
【００１２】
そこで、コンクリートＣから突出した外側規制片３０４と内側規制片３０５を切断する作業が必要となる。このため、上記の切断作業を全ての間隔保持具３０１に対して実施すると多くの労力が必要とされ、型枠３０６，３０８の設置効率が極めて悪くなる問題を有していた。
【００１３】
本考案は、このような問題点に着目してなされたもので、型枠仮組立後でも設置位置の変更ができコンクリート打設後でも取外し再使用可能とすることで、型枠の設置効率が向上するだけでなく省資源化されて経済的効果を得ることができるコンクリート型枠用間隔保持具を提供することを目的とする。
【課題を解決するための手段】
【００１４】
上記目的を解決するために、本考案の請求項１に記載のコンクリート型枠用間隔保持具は、ベースコンクリートＢＣ上にコンクリート基礎を打設する際に使用すべく所定間隔で対向配置される内枠２と外枠４から成る型枠を立設状態に保持するコンクリート型枠用間隔保持具５に於いて、上記間隔保持具５は、薄板鋼鈑で短冊状に構成された幅方向略中央の長手方向に凹溝を形成し上記型枠１の内枠２および／または外枠４の底部を個別に保持する保持具本体６と、上記型枠１の外側を規制すべく上記保持具本体６の少なくとも一端に立設し下端中央に上記凹溝に連通する開口１４ａを形成した外側規制片１４と、鋼製の棒体をコ字型に折曲形成して上記外側規制片１４の外側面に沿って立設する外側枠１５ａと上記外側規制片１４下端の開口１４ａを通して上記凹溝内に回動可能にほぼ面一に挿嵌支持される底枠１５ｂと上記型枠１の内側を規制すべく立設した内側枠１５ｃとで構成される回動枠１５とから成り、上記回動枠１５は、手動操作により上記凹溝内で上記底枠１５ｂを中心として回動した際、垂直状態と水平状態をとるように構成され、上記型枠１の底部と上記ベースコンクリートＢＣ上面の間で形成される隙間を挿通して上記保持具本体６を長手方向に抜き差しする際は上記回動枠１５を水平状態とし、上記型枠１の両側面を規制する際は上記回動枠１５を垂直状態に保持することを特徴とするコンクリート型枠用間隔保持具である。
上記のコンクリート型枠用間隔保持具によれば、内枠２と外枠４から成る型枠１をベースコンクリートＢＣ上に立設状態で保持する際に、予め、ベースコンクリートＢＣ上に所定間隔毎に仮り止めされた間隔保持具５に外側規制片１４を基準として上記外枠４が長手方向に沿って立設保持されると、この外枠４に対応してベースコンクリートＢＣ上に仮り置きされた間隔保持具５に内枠２が所定間隔離間して立設保持される。仮り止めされた間隔保持具５上に外枠４を設置する際は、上記回動枠１５を水平状態として外枠４を載置した後に垂直に起立し、外枠４間の接続部Ｔに対し間隔保持具５上に保持された内枠の接続部Ｔの位置調整を行うために長手方向に移動する際は、上記回動枠１５を水平状態として外側に引出した状態で位置調整ののち再び回動枠１５を水平状態にして外側規制片１４が当接するまで内枠２の底部から差込んで回動枠１５を垂直に起立させることで内枠２が上記間隔保持具５に保持される。
【００１５】
本考案の請求項２に記載のコンクリート型枠用間隔保持具は、上記回動枠１５が、垂直状態を保持する垂直保持手段Ｗを備えていることを特徴とするコンクリート型枠用間隔保持具である。
上記のコンクリート型枠用間隔保持具によれば、コンクリート基礎を打設する際に使用される内枠２および／または外枠４の底部を間隔保持具５上に個別に立設状態に保持する際は、回動枠１５を回動させて垂直状態に起立し、この状態が垂直保持手段Ｗにより垂直に保持される。
【００１６】
本考案の請求項３に記載のコンクリート型枠用間隔保持具は、上記間隔保持具５が、上記型枠１の底部を支持する上記保持具本体６の支持部位に上記回動枠１５の底枠１５ｂが挿通可能な間隔のスリット１０が長手方向に形成されると共に、上記外側規制片１４の外側面に近接して上記回動枠１５の外側枠１５ａを収容保持する横スリット１２が上記スリット１０の端部に連通するよう直交して形成され、上記保持具本体６の底面には薄板鋼鈑から成る底板８が接合されていることを特徴とするコンクリート型枠用間隔保持具である。
上記のコンクリート型枠用間隔保持具によれば、保持具本体６の底面に底板８を接合した構成とすることで、保持具本体６の支持部位の長手方向に上記底枠１５ｂをスリット１０に挿嵌した際に上記保持具本体６の支持部位と面一になるように上記底板８上に支持され、且つ回動枠１５を水平に回動した際に外側枠１５ａが上記保持具本体６の横スリット１２内に面一になるように底板８上に保持される。
【００１７】
本考案の請求項４に記載のコンクリート型枠用間隔保持具は、上記保持具本体６が、上記回動枠１５の底枠１５ｂが面一に収容される凹溝２０が長手方向に沿って折曲形成され、且つ上記外側規制片１４の外側面に近接して上記回動枠１５の外側枠１５ａが収容保持される横スリット１２が上記凹溝２０の片側に連通するよう直交して形成されていることを特徴とするコンクリート型枠用間隔保持具である。
上記のコンクリート型枠用間隔保持具によれば、保持具本体６の長手方向に沿って回動枠１５の底枠１５ｂを収容する凹溝２０を形成することにより、上記底枠１５ｂを上記凹溝２０内に収容した際に支持部位と面一に支持され、且つ回動枠１５を水平に回動した際に外側枠１５ａが上記保持具本体６の横スリット１２内に面一になるように支持される。
【考案の効果】
【００１８】
本考案は以下の効果を奏する。
【００１９】
請求項１に記載の考案によれば、内枠および／または外枠の底部が間隔保持具によって個別に立設状態に保持されるので型枠仮組立後においては設置位置の変更が可能となり、またコンクリート打設後でも、従来のようにコンクリートと共に固設されることがなく取外し可能に構成されているので再使用が可能となり、型枠の設置効率を向上するだけでなく省資源化されて経済的効果を得ることができる。
【００２０】
請求項２に記載の考案によれば、回動枠に垂直保持手段を備えているので、回動枠を水平状態から垂直状態に起立させた状態で保持することができ、また起立状態から容易に水平状態に回動することができるため間隔保持具の取扱い作業が極めて容易となる。
【００２１】
請求項３に記載の考案によれば、保持具本体の支持部位の長手方向、ならびに外側規制片の外側面に近接した位置に形成されたスリットおよび該スリットに直交する横スリットには、水平状態に回動した回動枠の底枠ないし外側枠が保持具本体と面一になるように底板上に支持されるので、上記保持具本体を型枠の底部とベースコンクリート上面の間で形成される隙間を通して容易に抜き差しすることができる。
【００２２】
請求項４に記載の考案によれば、保持具本体に長手方向に沿って折曲形成された凹溝およびに直交する横スリットに、水平状態に回動した回動枠の底枠ないし外側枠が保持具本体と面一になるように支持されるので、型枠の底部とベースコンクリート上面の間で形成される隙間を通して上記保持具本体を容易に抜き差しすることができる。
【考案を実施するための最良の形態】
【００２３】
本考案の実施例を以下に説明する。
【実施例１】
【００２４】
図１〜図４には、本考案の実施例が示されている。図１は本考案に係る間隔保持具を使用してベースコンクリートＢＣ上に立設保持したコンクリート基礎型枠を配置した状態を示す斜視図、図２は本考案に係る間隔保持具の全体斜視図、図３の（ａ）は間隔保持具の平面図、（ｂ）は（ａ）のＡ−Ａ断面図、図４の（ａ）は図３（ａ）のＢ−Ｂ断面図、（ｂ）は図３（ａ）のＣ−Ｃ断面図である。
【００２５】
図１において、１はコンクリート基礎型枠であって、このコンクリート基礎型枠１（以下型枠と称する）は、後述する間隔保持具を使用してベースコンクリートＢＣ上に立設状態に保持される。
【００２６】
型枠１は、所定間隔で対向配置される内枠２と外枠４とから構成されており、これら内枠２と外枠４は、コンクリート型枠用間隔保持具（以下間隔保持具５と称する）を使用してベースコンクリートＢＣ上に立設状態で個別に保持されるようになっている。
【００２７】
間隔保持具５は、薄板鋼鈑で短冊状に形成された所定厚みの保持具本体６と、上記内枠２または外枠４の外側を規制すべく上記保持具本体６の略中央に立設し下端中央に開口１４ａを形成した外側規制片１４と、上記保持具本体６の底面に溶接接合された薄板鋼鈑から成る底板８とで構成される。
【００２８】
詳しくは、保持具本体６には、略中央部位に立設した外側規制片１４下端の外側近傍から該外側規制片１４の下端を通過して保持具本体６の端部に至るスリット１０が、型枠支持部位の幅方向中央に長手方向に沿って挿通形成されており、上記外側規制片１４の外側面側に臨む上記スリット１０の端部には、横スリット１２が直交するように形成されている。
【００２９】
図２において、１５は回動枠であって、この回動枠１５は、鋼製の丸断面の棒体をコ字型に折曲形成して上記外側規制片１４の外側面に沿って立設する外側枠１５ａと、上記外側規制片１４下端の開口１４ａを通して上記スリット１０と底板８とで構成される凹溝内に回動可能にほぼ保持具本体６と面一に挿嵌支持される底枠１５ｂと、上記内枠２または外枠４の内側を規制すべく立設した内側枠１５ｃとで構成されている。
【００３０】
外側規制片１４の外側に延出した上記保持具本体６の延出部６ａの略中央部には、釘孔１６ａが穿設されると共に保持具本体６の型枠支持部位には、上記スリット１０の片側に釘孔１６ｂが穿設されている。
【００３１】
また、回動枠１５は、この回動枠１５を垂直状態に保持する垂直保持手段Ｗを備えている。この垂直保持手段Ｗは、回動枠１５の底枠１５ｂの中央部位が外側枠１５ａと同じ上方に向けて大きく湾曲形成されており、その湾曲部位の中央は、回動枠１５が立設状態において保持具本体６の上面より僅かに突出するように構成されている。
【００３２】
すなわち、回動枠１５の垂直保持手段Ｗは、保持具本体６の型枠支持部位に内枠２または外枠４を載置した際に、底枠１５ｂ中央部位の湾曲部位中央が上記内枠２または外枠４の底部との当接で弾力的に押圧変形した状態となり、上記型枠底面と底枠１５ｂとの摩擦力により垂直に保持されるようになっている。
【００３３】
次に、間隔保持具を使用した型枠の組立手順に付き、図５、図６を参照して説明する。図５（ａ）は間隔保持具をベースコンクリート上に仮り止めする状態を示し、（ｂ）はベースコンクリート上に仮り止めした間隔保持具に外枠を載置する状態を示し、（ｃ）は回動枠を垂直に起立して間隔保持具に載置した外枠を垂直状態に保持する状態を示す説明図、図６は外枠に対応して所定間隔で立設保持した内枠の位置を変更する際の間隔保持具の作業手順であって、（ａ）はベースコンクリート上に仮り止めされた間隔保持具を内枠の底面から抜出す直前の工程を示し、（ｂ）は内枠の底面から間隔保持具を抜出した状態を示し、（ｃ）は内枠の位置調整後に再び間隔保持具を上記内枠の底面に差込みベースコンクリート上に仮り止めする状態を示す説明図である。
【００３４】
図５（ａ）において、ベースコンクリートＢＣ上にコンクリート基礎を形成するための外枠４が列設される位置に複数の間隔保持具５を長手方向に所定間隔毎に配設し、保持具本体６及びその延出部６ａの釘孔１６ａ，１６ｂを通して止め釘１８を、ベースコンクリートＢＣに打ち込み保持具本体６を仮り止めする。
【００３５】
次に、図５（ｂ）に示すようにベースコンクリートＢＣ上に仮り止めされた保持具本体６の型枠支持部位に外枠４を載置する。この外枠４を載置する際に、外枠４の外側面を基準となる外側規制片１４に当接させる。
【００３６】
次いで、図５（ｃ）に示すように保持具本体６の型枠支持部位に外枠４が載置されると、水平状態にある回動枠１５の外側枠１５ａを回動して垂直に起立させることで外枠４の両側が規制される。この回動枠１５を垂直に起立すると、垂直保持手段Ｗが作用して湾曲部位の中央頂部が外枠４の底部を弾力的に押圧し、底枠１５ｂとの摩擦力により上記回動枠１５が垂直に保持される。これにより、複数の外枠４が長手方向に立設保持された状態で列設される。
【００３７】
次に、内枠２を立設保持する間隔保持具５の作業手順に付き説明する。
【００３８】
内枠２は、図１に示すように間隔保持具５を使用して複数列設された外枠４を基準として所定間隔離間させた状態で長手方向に並設されるが、列設した際の横方向の型枠強度を確保するために外枠４に対し、内枠２を長手方向交互に列設して外枠４同士の接続部Ｔと内枠２同士の接続部Ｔが対応するのを防止している。
【００３９】
このように、外枠４と内枠２を長手方向交互に列設させるよう配慮されているにも拘わらず、たまたま長手方向に列設した際に両枠２，４の接続部が一致してしまう不具合が生じた際に、内枠２の位置を変更するための間隔保持具の抜き差し作業が行われる。
【００４０】
以下、図６を参照して内枠を立設保持し、又は内枠の位置を変更する際の間隔保持具の作業手順を説明する。
【００４１】
図６（ａ）において、内枠２の位置を変更するために、内枠２を立設保持した間隔保持具５をベースコンクリートＢＣから取外す作業が開始される。この間隔保持具５の延出部６ａの釘孔１６ａからベースコンクリートＢＣに打ち込まれた止め釘１８を取外す。
【００４２】
次に図６（ｂ）に示すように、回動枠１５を回動操作して水平位置まで倒した状態とし、間隔保持具５を内枠２の底面から長手方向外方に抜出す。次いで、図６（ｃ）に示すように、内枠２の位置が修正位置に変更されると、回動枠１５を水平状態に倒した状態で間隔保持具５を再び内枠２の底面とベースコンクリートＢＣとの間隙に差込む作業が行われ、延出部６ａの釘孔１６ａを通して止め釘１８をベースコンクリートＢＣに打ち込むことで内枠２が立設保持される。
【００４３】
このようにして、図１に示されるように所定配置のコンクリート基礎型枠１が構築される。そこで、対向配置される内枠２と外枠４とで構成される所定間隔内に打設されたコンクリートが固化されると、全ての内枠２と外枠４が間隔保持具５から取外され、その後は、
間隔保持具５から止め釘１８を引き抜くことでベースコンクリートＢＣ上に仮り止めされている全ての間隔保持具５を取外すことができる。
【００４４】
このように上記実施例によれば、間隔保持具５が、内枠２および／または外枠４の底部を個別に立設状態に保持するようになっているので、型枠１の仮組立後であっても設置位置の変更が可能となり、またコンクリート打設後であっても、従来のようにコンクリートと共に固設されることがなく取外し可能に構成されているので再使用が可能となり、型枠１の設置効率を向上するだけでなく省資源化されて経済的効果を得ることができる。
【００４５】
また、回動枠１５に垂直保持手段Ｗを備えているので、回動枠１５を水平状態から垂直状態に起立させた状態で保持することができ、また起立状態から容易に水平状態に回動することができるため型枠１底部からの抜き差し作業が可能となり、間隔保持具５の取扱い作業が極めて容易となる。
【００４６】
さらに、保持具本体６の型枠支持部位の長手方向、ならびに外側規制片１４の外側面に近接した位置に形成されたスリット１０および横スリット１２には、回動枠１５が底枠１５ｂを中心として水平状態に回動したとき、底枠１５ｂないし外側枠１５ａが保持具本体６と面一に挿嵌支持されるので、型枠１の底部とベースコンクリートＢＣ上面の間で形成される隙間を通して上記保持具本体６を容易に抜き差しすることができる。
【００４７】
なお、上記間隔保持具５には、これをベースコンクリートＢＣ上に止め釘１８で仮止めするために保持具本体６ないし延出部６ａにそれぞれ単一の釘孔１６ａ，１６ｂが穿設されているが、各部位に複数の釘孔を設けても良く、または釘孔を設けずに側端縁を止め釘１８または止め金具を用いて仮り止めすることができる。
【００４８】
また、回動枠１５には、丸断面の棒体が使用されているが四角断面の棒体を使用しても良く、四角断面の棒体を使用した場合は、平面上の一辺がスリット１０内で底板８上に支持されるので、上方に向けて大きく湾曲形成した垂直保持手段Ｗが不用となる。
【００４９】
次に、間隔保持具の変形例に付き、図７を参照して説明する。図７は間隔保持具の変形例であって保持具本体の延出部を省略した間隔保持具の斜視図である。尚、上記実施例と同一部分に付いては同一符号を付しその説明は省略する。
【００５０】
この変形例に係る間隔保持具５’は、上記の実施例における間隔保持具５と略同一構造であって、延出部が設けられていない構造上相違する点について説明する。
【００５１】
この間隔保持具５’は、保持具本体６’の型枠支持部位に形成されるスリット１０の両側斜め位置に一対の釘孔１６ｂ，１６ｂ’が穿設されている。また、保持具本体６’の端部には外側規制片１４が立設しており、外側規制片１４の外側には保持具本体６’の底面に溶接接合された底板８が若干延出しており、回動枠１５が水平状態に回動した際に外側枠１５ａが延出した底板８に支持されるようになっている。これにより、間隔保持具５’の構造を簡素化することができる。
【００５２】
次に、間隔保持具の別の変形例に付き、図８を参照して説明する。図８は間隔保持具の別の変形例であって保持具本体の中央部に凹溝を長手方向に沿って折曲形成した間隔保持具の斜視図である。尚、上記実施例と同一部分に付いては同一符号を付しその説明は省略する。
【００５３】
この変形例に係る間隔保持具５’’は、上記の実施例における間隔保持具５と略同一構造であって、スリットが保持具本体を折曲した凹溝として構成されている点で相違しており、この構造上相違する点について説明する。
【００５４】
この間隔保持具５’’は、保持具本体６’’が外側規制片１４の外側に延出した延出部６ａ’’を有しており、保持具本体６’’および延出部６ａ’’の中央には凹溝２０が全長に亘って一体的に折曲形成されており、保持具本体６’’の凹溝２０の片側には釘孔１６ｂが、延出部６ａ’’における凹溝２０の反対側にも釘孔１６ａが穿設されている。
【００５５】
この延出部６ａ’’における外側規制片１４の下端近傍には、上記凹溝２０に直交するスリット１２が形成されている。
【００５６】
このように構成することにより、保持具本体６’’に長手方向に沿って折曲形成された凹溝２０およびに直交する横スリット１２に、水平状態に回動した回動枠１５の底枠１５ｂないし外側枠１５ａが保持具本体６’’と面一になるように支持されるので、内枠２または外枠４の底部とベースコンクリートＢＣ上面の間で形成される隙間を通して上記間隔保持具５’’を容易に抜き差しすることができる。
【００５７】
また、回動枠１５を収容する凹溝２０が保持具本体６’’と一体的に折曲形成されるので、間隔保持具５’’の剛性が向上する。
【図面の簡単な説明】
【００５８】
【図１】本考案に係る間隔保持具を使用してベースコンクリートＢＣ上に立設保持したコンクリート基礎型枠を配置した状態を示す斜視図である。
【図２】本考案に係る間隔保持具の全体斜視図である。
【図３】（ａ）は間隔保持具の平面図、（ｂ）は（ａ）のＡ−Ａ断面図である。
【図４】（ａ）は図３（ａ）のＢ−Ｂ断面図、（ｂ）は図３（ａ）のＣ−Ｃ断面図である。
【図５】（ａ）は間隔保持具をベースコンクリート上に仮り止めする状態を示し、（ｂ）はベースコンクリート上に仮り止めした間隔保持具に外枠を載置する状態を示し、（ｃ）は回動枠を垂直に起立して間隔保持具に載置した外枠を垂直状態に保持する状態を示す説明図である。
【図６】外枠に対応して所定間隔で立設保持した内枠の位置を変更する際の間隔保持具の作業手順であって、（ａ）はベースコンクリート上に仮り止めされた間隔保持具を内枠の底面から抜出す直前の工程を示し、（ｂ）は内枠の底面から間隔保持具を抜出した状態を示し、（ｃ）は内枠の位置調整後に再び間隔保持具を上記内枠の底面に差込みベースコンクリート上に仮り止めする状態を示す説明図である。
【図７】間隔保持具の変形例であって保持具本体の延出部を省略した間隔保持具の斜視図である。
【図８】間隔保持具の別の変形例であって保持具本体の中央部に凹溝を長手方向に沿って折曲形成した間隔保持具の斜視図である。
【図９】従来のコンクリート型枠用間隔保持具であって、（ａ）は間隔保持具に嵌合した型枠間にコンクリートを打設した状態を示す断面図、（ｂ）はコンクリート型枠用間隔保持具の部分斜視図である。
【符号の説明】
【００５９】
１                  コンクリート基礎型枠（型枠）
２                  内枠
４                  外枠
５，５’，５’’      コンクリート型枠用間隔保持具（間隔保持具）
６，６’，６’’      保持具本体
６ａ，６ａ’’        延出部
８                  底板
１０                スリット
１２                横スリット
１４                外側規制片
１４ａ              開口
１５                回動枠
１５ａ              外側枠
１５ｂ              底枠
１５ｃ              内側枠
１６ａ，１６ｂ      釘孔
１８                止め釘
２０                凹溝
ＢＣ                ベースコンクリート
Ｔ                  接続部
Ｗ                  垂直保持手段
【図１】
0003119712.tif 000003
【図２】
0003119712.tif 000004
【図３】
0003119712.tif 000005
【図４】
0003119712.tif 000006
【図５】
0003119712.tif 000007
【図６】
0003119712.tif 000008
【図７】
0003119712.tif 000009
【図８】
0003119712.tif 000010
【図９】
0003119712.tif 000011